(57)【要約】【課題】ユーザが関与することを切望するデバイスをより効率的に特定して、そのデバイスとの無線接続を確立することができる情報処理方法、情報処理デバイス及び記憶媒体を提供すること。【解決手段】情報処理デバイスにおいて、別のデバイスとのユーザの相互作用に関連付けられたコンテキストデータを受信することと、プロセッサを使用して、コンテキストデータが、デバイス使用データであって、別のデバイスを動作させようとするユーザの意図に相当するデバイス使用データに関連付けられているかどうかを判定することと、コンテキストデータがデバイス使用データに関連付けられていると判定したことに応答して、情報処理デバイスと別のデバイスとの無線接続を確立することとを含む。【選択図】図３
2020088868.tif 000002
【特許請求の範囲】
【請求項１】
情報処理デバイスにおいて、別のデバイスとのユーザの相互作用に関連付けられたコンテキストデータを受信することと、
プロセッサを使用して、前記コンテキストデータが、デバイス使用データであって、前記別のデバイスを動作させようとする前記ユーザの意図に相当する前記デバイス使用データに関連付けられているかどうかを判定することと、
前記コンテキストデータが前記デバイス使用データに関連付けられていると判定したことに応答して、前記情報処理デバイスと前記別のデバイスとの無線接続を確立することと
を含む、情報処理方法。
【請求項２】
前記受信することが、前記別のデバイスと一体である少なくとも１つのセンサから前記コンテキストデータを受信することを含む、請求項１に記載の情報処理方法。
【請求項３】
前記少なくとも１つのセンサが、光センサ、カメラ、加速度計、およびマイクロフォンからなる群から選択されたセンサである、請求項２に記載の情報処理方法。
【請求項４】
前記判定することが、前記デバイス使用データを含むアクセス可能な記憶データベースにアクセスすることと、前記受信したコンテキストデータを前記アクセス可能な記憶データベース内の前記デバイス使用データと比較することとを含む、請求項１に記載の情報処理方法。
【請求項５】
前記コンテキストデータが所定のレベルの類似性を前記デバイス使用データと共有していることを特定するによって前記コンテキストデータが前記デバイス使用データに関連付けられていると判定することをさらに含む、請求項４に記載の情報処理方法。
【請求項６】
前記無線接続を前記確立することが、前記情報処理デバイスを前記別のデバイスに接続することと前記情報処理デバイスを前記別のデバイスにペアリングすることの少なくとも一方を含む、請求項１に記載の情報処理方法。
【請求項７】
前記無線接続を確立したことに応答して所定の機能を実行するように前記別のデバイスに命令することをさらに含む、請求項１に記載の情報処理方法。
【請求項８】
前記所定の機能が１つまたは複数のコンテキスト因子に基づく、請求項７に記載の情報処理方法。
【請求項９】
前記無線接続が確立されたという通知を前記ユーザに提供することをさらに含む、請求項１に記載の情報処理方法。
【請求項１０】
前記別のデバイスとの前記無線接続を切断することと、異なるデバイスとの前記ユーザの相互作用に関連付けられた異なるコンテキストデータを受信したことに応答して、前記異なるデバイスとの別の無線接続を確立することとをさらに含み、前記異なるコンテキストデータが前記デバイス使用データに関連付けられる、請求項１に記載の情報処理方法。
【請求項１１】
プロセッサと、
別のデバイスとのユーザの相互作用に関連付けられたコンテキストデータを受信し、前記コンテキストデータが、デバイス使用データであって、前記別のデバイスを動作させようとする前記ユーザの意図に相当する前記デバイス使用データに関連付けられているかどうかを判定し、前記コンテキストデータが前記デバイス使用データに関連付けられていると判定したことに応答して、自情報処理デバイスと前記別のデバイスとの無線接続を確立するように前記プロセッサによって実行可能な命令を記憶するメモリデバイスと
を備える、情報処理デバイス。
【請求項１２】
受信するように前記プロセッサによって実行可能な前記命令が、前記別のデバイスと一体である少なくとも１つのセンサから前記コンテキストデータを受信するように前記プロセッサによって実行可能な命令を含む、請求項１１に記載の情報処理デバイス。
【請求項１３】
判定するように前記プロセッサによって実行可能な前記命令が、前記デバイス使用データを含むアクセス可能な記憶データベースにアクセスして、前記受信したコンテキストデータを前記アクセス可能な記憶データベース内の前記デバイス使用データと比較するように前記プロセッサによって実行可能な命令を含む、請求項１１に記載の情報処理デバイス。
【請求項１４】
前記命令がさらに、前記コンテキストデータが所定のレベルの類似性を前記デバイス使用データと共有していることを特定することによって前記コンテキストデータが前記デバイス使用データに関連付けられているかどうかを判定するように前記プロセッサによって実行可能である、請求項１３に記載の情報処理デバイス。
【請求項１５】
前記無線接続を確立するように前記プロセッサによって実行可能な前記命令が、前記情報処理デバイスを前記別のデバイスに接続するかまたは自情報処理デバイスを前記別のデバイスにペアリングするように前記プロセッサによって実行可能な命令を含む、請求項１１に記載の情報処理デバイス。
【請求項１６】
前記命令がさらに、前記無線接続を確立したことに応答して所定の機能を実行するように前記別のデバイスに命令するように前記プロセッサによって実行可能である、請求項１１に記載の情報処理デバイス。
【請求項１７】
前記所定の機能が１つまたは複数のコンテキスト因子に基づく、請求項１６に記載の情報処理デバイス。
【請求項１８】
前記命令はさらに、前記無線接続が確立されたという通知を前記ユーザに提供するように前記プロセッサによって実行可能である、請求項１１に記載の情報処理デバイス。
【請求項１９】
前記命令がさらに、前記別のデバイスとの前記無線接続を切断し、異なるデバイスとの前記ユーザの相互作用に関連付けられた異なるコンテキストデータを受信したことに応答して、前記異なるデバイスとの別の無線接続を確立するように前記プロセッサによって実行可能であり、前記異なるコンテキストデータが前記デバイス使用データに関連付けられる、請求項１１に記載の情報処理デバイス。
【請求項２０】
プロセッサによって実行可能であるコードであって、別のデバイスとのユーザの相互作用に関連付けられたコンテキストデータを受信するコードと、前記コンテキストデータが、デバイス使用データであって、前記別のデバイスを動作させようとする前記ユーザの意図に相当する前記デバイス使用データに関連付けられているかどうかを判定するコードと、前記コンテキストデータが前記デバイス使用データに関連付けられていると判定したことに応答して、自情報処理デバイスと前記別のデバイスとの無線接続を確立するコードとを含む、前記コードを記憶する記憶デバイスを備える、記憶媒体。
【発明の詳細な説明】
【技術分野】
【０００１】
本発明は、ユーザが関与することを切望するデバイスをより効率的に特定して、そのデバイスとの無線接続を確立することができる情報処理方法、情報処理デバイス及び記憶媒体に関する。
【背景技術】
【０００２】
情報処理デバイス（デバイス）、例えば、スマートフォン、タブレットデバイス、ラップトップおよびパーソナルコンピュータ、ならびにその他は、１つまたは複数の他の電子デバイスとの無線接続を確立することが可能であり得る。例えば、スマートフォンは、無線ヘッドセットとペアリングされることがあり、タブレットデバイスは、スマートＴＶなどとペアリングされることがある。接続が確立された後に、制御デバイス（すなわち、スマートフォン、タブレット、ラップトップなど）は、無線接続された電子デバイスの１つまたは複数の機能を制御することができる場合がある。例えば、前述の例では、スマートフォンは、無線ヘッドセットで再生されるメディアを制御できることがあり、かつタブレットデバイスは、スマートＴＶで再生されるコンテンツを選択および制御できることがある。
【先行技術文献】
【特許文献】
【０００３】
【特許文献１】特開２０１９−９１９７５号公報
【発明の概要】
【発明が解決しようとする課題】
【０００４】
ところで、ＢＬＵＥＴＯＯＴＨ（登録商標）は、短距離でのデータ交換のための人気が高く頻繁に使用される無線技術規格である。ＢＬＵＥＴＯＯＴＨは、米国および他の国におけるＢＬＵＥＴＯＯＴＨ  ＳＩＧ，ＩＮＣ．の登録商標である。概して、ＢＬＵＥＴＯＯＴＨ接続をデバイス間で開始するときに、まず２つのデバイスをペアリング（すなわち、無線接続すべきＢＬＵＥＴＯＯＴＨ対応のデバイスに関する情報を相互に登録するために必要とされるプロセス）する必要がある。デバイスがオフにされたとしても、ペアリング情報は保持され、そのため、同じデバイスを再びペアリングする必要はない。それゆえ、所望のデバイス接続の以後の事例では、ペアリングされたデバイスがより迅速に無線接続され得る。本明細書で使用される場合、「ペアリング」とは、デバイス間の初回の接続を指すことがあり、それに対して、「接続」とは、デバイス（すなわち、以前にペアリングされたデバイス）間の２＋ｎ回目の接続を指すことがある。
【０００５】
デバイスのペアリングおよび／または接続に対する従来の解決策は、概して、本質的に手動である。例えば、いくつかの無線接続プロトコルは、無線接続を確立する前に１つまたは複数のデバイス上の１つまたは複数のボタンを所定の期間にわたって長押しすることを必要とする。そのような要件は、使用者にとって負担となりかつ時間がかかることがある。別の例として、いくつかの無線接続プロトコルは、ユーザが接続を確立したいデバイスを特定するために、ユーザに１つまたは複数の画面上の一連のメニューをナビゲートすることを要求する。この状況では、利用可能なＢＬＵＥＴＯＯＴＨ対応のデバイスのメニューの中で、利用可能なデバイスリストは、概して、履歴形式またはアルファベット形式で提示される。より詳細には、これらのリストは、より最適に周辺機器にペアリング／接続するためにユーザが現時点で何を行っているかとは全く関係がない。よって、ユーザが関与することを切望するデバイスをより効率的に特定して、その後、そのデバイスとの無線接続を確立するための解決策が必要とされる。
【０００６】
本発明は、上記に鑑みてなされたものであって、ユーザが関与することを切望するデバイスをより効率的に特定して、そのデバイスとの無線接続を確立することができる情報処理方法、情報処理デバイス及び記憶媒体を提供することを目的とする。
【課題を解決するための手段】
【０００７】
要約すると、一態様は、情報処理デバイスにおいて、別のデバイスとのユーザの相互作用に関連付けられたコンテキストデータを受信することと、プロセッサを使用して、コンテキストデータが、デバイス使用データであって、別のデバイスを動作させようとするユーザの意図に相当するデバイス使用データに関連付けられているかどうかを判定することと、コンテキストデータがデバイス使用データに関連付けられていると判定したことに応答して、情報処理デバイスと別のデバイスとの無線接続を確立することとを含む、情報処理方法を提供する。
【０００８】
別の態様は、プロセッサと、別のデバイスとのユーザの相互作用に関連付けられたコンテキストデータを受信し、コンテキストデータが、デバイス使用データであって、別のデバイスを動作させようとするユーザの意図に相当するデバイス使用データに関連付けられているかどうかを判定し、コンテキストデータがデバイス使用データに関連付けられていると判定したことに応答して、情報処理デバイスと別のデバイスとの無線接続を確立するようにプロセッサによって実行可能な命令を記憶するメモリデバイスとを備える、情報処理デバイスを提供する。
【０００９】
さらなる態様は、プロセッサによって実行可能であるコードであって、別のデバイスとのユーザの相互作用に関連付けられたコンテキストデータを受信するコードと、コンテキストデータが、デバイス使用データであって、別のデバイスを動作させようとするユーザの意図に相当するデバイス使用データに関連付けられているかどうかを判定するコードと、コンテキストデータがデバイス使用データに関連付けられていると判定したことに応答して、情報処理デバイスと別のデバイスとの無線接続を確立するコードとを含む、コードを記憶する記憶デバイスを備える、記憶媒体を提供する。
【００１０】
前述は、概略であり、したがって、簡略化、一般化、および詳細の省略を含むこともある。それゆえ、当業者は、前述の概略が例示的なものにすぎず、決して限定を意図するものではないことを認識するであろう。
【００１１】
実施形態の他のおよびさらなる特徴ならびに利点と共に、実施形態を最も良く理解するために、添付の図面と併せて解釈される、以下の説明が参照される。本発明の範囲は、添付の特許請求の範囲において定められる。
【発明の効果】
【００１２】
本発明の上記態様によれば、ユーザが関与することを切望するデバイスをより効率的に特定して、そのデバイスとの無線接続を確立することができる。
【図面の簡単な説明】
【００１３】
【図１】図１は、情報処理デバイス回路の例を図示する図である。
【図２】図２は、情報処理デバイス回路の別の例を図示する図である。
【図３】図３は、電子デバイス間に無線接続を確立する例示的な方法を図示する図である。
【発明を実施するための形態】
【００１４】
本明細書において概して図で説明され図示される、実施形態の構成要素が、説明した例示的な実施形態に加えて、多種多様な異なる構成で配設され設計され得ることは容易に理解されるであろう。したがって、図に表される、例示的な実施形態の以下のより詳細な説明は、特許請求の範囲に記載される、実施形態の範囲を限定するように意図されたものではなく、例示的な実施形態の代表的なものにすぎない。
【００１５】
本明細書の全体にわたる「一実施形態」または「実施形態」（またはその他）への言及は、その実施形態に関連して説明される特定の特徴、構造、または特性が、少なくとも１つの実施形態に含まれることを意味する。したがって、本明細書全体を通して種々の箇所で「一実施形態において」または「実施形態において」またはその他の表現が見られるが、必ずしもすべてが同一の実施形態について言及しているわけではない。
【００１６】
さらに、説明する特徴、構造、または特性は、１つまたは複数の実施形態においてあらゆる好適な方式で組み合わされ得る。以下の説明では、実施形態の完全な理解を与えるために数多くの具体的な詳細が提供される。しかしながら、当業者であれば、１つもしくは複数の具体的な詳細なしに、または他の方法、構成要素、材料などを用いて、種々の実施形態を実施できることを認識するであろう。他の例では、不明瞭になるのを避けるために、周知の構造、材料または動作は詳細に示されていないかまたは説明されていない。
【００１７】
実施形態は、ユーザが使用しようとしているデバイスとの無線接続を動的に確立するための方法を提供する。実施形態では、別のデバイスとのユーザの相互作用に関連付けられたコンテキストデータが、制御デバイスにおいて受信されてもよい。コンテキストデータは、様々な異なるソースから、例えば、制御デバイスとまたは他のデバイスと一体である１つまたは複数のセンサから受信されてもよい。実施形態では、コンテキストデータは、例えば、ユーザが見ているデバイス、ユーザが保持しているデバイス、デバイスによって実行すべきアクションを含むユーザによって与えられたコマンド入力、およびその他を特定してもよい。実施形態は、その後、コンテキストデータが、記憶されたデバイス使用データ（すなわち、デバイスを動作させようとするユーザの意図に相当するデータ）に関連付けられているかどうかを判定してもよい。コンテキストデータがデバイス使用データに関連付けられていると判定したことに応答して、実施形態は、その後、２つのデバイス間の無線接続を確立してもよい。そのような方法は、制御デバイスとユーザが使用しようとしている別のデバイスとの無線接続の迅速な確立を可能にし得る。
【００１８】
図示の例示的な実施形態は、図を参照することによって最も良く理解されるであろう。以下の説明は、単に例として意図されたものであり、ある特定の例示的な実施形態を簡単に図示している。
【００１９】
スマートフォンおよび／またはタブレットの回路システム１００に関して、種々の他の回路、電気回路、またはコンポーネントが、情報処理デバイスにおいて利用され得るが、図１に図示する例は、例えばタブレットまたは他のモバイルコンピューティングプラットフォームに見られるシステムオンチップ設計を含む。ソフトウェアおよびプロセッサ（複数可）は、単一のチップ１１０に組み込まれる。プロセッサは、当技術分野において周知であるように、内部演算ユニット、レジスタ、キャッシュメモリ、バス、Ｉ／Ｏポートなどを備える。内部バスおよびその他は異なるベンダーに依存するが、基本的にすべての周辺機器（追加のデバイス：１２０）が単一のチップ１１０に取り付けられてもよい。回路システム１００では、プロセッサ、メモリ制御、およびＩ／Ｏコントローラハブがすべて単一のチップ１１０に組み込まれている。また、この種類の回路システム１００は、典型的には、ＳＡＴＡまたはＰＣＩもしくはＬＰＣを使用しない。一般的なインターフェースは、例えば、ＳＤＩＯおよびＩ２Ｃを含む。
【００２０】
電力管理回路（複数可）１３０、例えば、電源（図示せず）への接続によって再充電され得る、充電式の電池１４０によって、供給される電力を管理する、電池管理ユニット（Battery  Management  Unit：ＢＭＵ）が存在する。少なくとも１つの設計では、チップ１１０などの、単一のチップは、ＢＩＯＳのような機能およびＤＲＡＭメモリを提供するために使用される。
【００２１】
回路システム１００は、典型的には、通信ネットワークおよび無線インターネットデバイス、例えばアクセスポイントなどの、種々のネットワークに接続するためのＷＷＡＮ送受信器１５０およびＷＬＡＮ送受信器１６０のうちの１つまたは複数を含む。追加的に、例えば、カメラなどの画像センサ、マイクロフォンなどの音声キャプチャデバイス、加速度計またはジャイロスコープなどの運動センサ、熱センサなどの、追加のデバイス１２０が一般的に含まれる。回路システム１００は、多くの場合、データ入力および表示／レンダリングのための１つまたは複数のタッチスクリーン（タッチ画面／コントローラ）１７０を含む。回路システム１００はまた、典型的には、種々のメモリデバイス、例えばフラッシュメモリ１８０およびＳＤＲＡＭ１９０を含む。
【００２２】
図２は、情報処理デバイス回路、電気回路またはコンポーネントの別の例のブロック図を描いている。図２に描かれている例は、ノースカロライナ州モリスビルのＬｅｎｏｖｏ（ＵＳ）Ｉｎｃ．によって販売されているパーソナルコンピュータのＴＨＩＮＫＰＡＤシリーズなどのコンピューティングシステムに相当し得る。本明細書における説明から明らかであるように、実施形態は、他の特徴または図２に図示する例の特徴のほんの一部を含んでもよい。
【００２３】
図２の例は、製造業者（例えば、ＩＮＴＥＬ、ＡＭＤ、ＡＲＭなど）に応じて異なり得るアーキテクチャを有するいわゆるチップセット２１０（協働する集積回路またはチップのグループ、チップセット）を含む。ＩＮＴＥＬは、米国および他の国におけるＩｎｔｅｌ  Ｃｏｒｐｏｒａｔｉｏｎの登録商標である。ＡＭＤは、米国および他の国におけるＡｄｖａｎｃｅｄ  Ｍｉｃｒｏ  Ｄｅｖｉｃｅｓ，Ｉｎｃ．の登録商標である。ＡＲＭは、米国および他の国におけるＡＲＭ  Ｈｏｌｄｉｎｇｓ  ｐｌｃの未登録商標である。チップセット２１０のアーキテクチャは、コア／メモリ制御２２０と、直接管理インターフェース（Direct  Management  Interface：ＤＭＩ）２４２またはリンクコントローラ２４４を介して情報（例えば、データ、信号、コマンドなど）を交換するＩ／Ｏコントローラハブ２５０とを含む。図２では、ＤＭＩ２４２は、チップ間インターフェース（「ノースブリッジ」と「サウスブリッジ」との間のリンクと称されることもある）である。コア／メモリ制御２２０は、１つまたは複数のプロセッサ２２２（例えば、シングルコアまたはマルチコア）と、フロントサイドバス（Front  Side  Bus：ＦＳＢ）２２４を介して情報を交換するメモリコントローラハブ２２６とを備え、従来の「ノースブリッジ」型アーキテクチャに取って代わるチップ内にコア／メモリ制御２２０のコンポーネントが集積され得ることに留意されたい。１つまたは複数のプロセッサ２２２は、当技術分野において周知であるように、内部演算ユニット、レジスタ、キャッシュメモリ、バス、Ｉ／Ｏポートなどを備える。
【００２４】
図２では、メモリコントローラハブ２２６は、（例えば、「システムメモリ」または「メモリ」と称され得るある種類のＲＡＭへのサポートを提供するために）メモリ２４０とインターフェースをとる。メモリコントローラハブ２２６は、ディスプレイデバイス２９２（例えば、ＣＲＴ、フラットパネル、タッチスクリーンなど）用の低電圧差動信号（Low  Voltage  Differential  Signaling：ＬＶＤＳ）インターフェース２３２をさらに含む。ブロック２３８は、ＬＶＤＳインターフェース２３２を介してサポートされ得るいくつかの技術（例えば、シリアルデジタルビデオ、ＨＤＭＩ（登録商標）／ＤＶＩ、ディスプレイポート）を含む。メモリコントローラハブ２２６はまた、別個のグラフィック２３６をサポートし得るＰＣＩエクスプレスインターフェース（PCI-Express  Interface：ＰＣＩ−Ｅ）２３４を含む。
【００２５】
図２では、Ｉ／Ｏコントローラハブ２５０は、ＳＡＴＡインターフェース２５１（例えば、ＨＤＤ、ＳＳＤ２８０用など）、ＰＣＩ−Ｅインターフェース２５２（例えば、無線接続２８２用）、ＵＳＢインターフェース２５３（例えば、デジタイザ、キーボード、マウス、カメラ、電話、マイクロフォン、ストレージ、他の接続デバイスなどのデバイス２８４用）、ネットワークインターフェース２５４（例えば、ＬＡＮ）、ＧＰＩＯインターフェース２５５、ＬＰＣインターフェース２７０（ＡＳＩＣ２７１、ＴＰＭ２７２、スーパーＩ／Ｏ２７３、ファームウェアハブ２７４、ＢＩＯＳサポート２７５、ならびにＲＯＭ２７７、フラッシュ２７８、およびＮＶＲＡＭ２７９などの種々の種類のメモリ２７６用）、電力管理インターフェース２６１、クロックジェネレータインターフェース２６２、音声インターフェース２６３（例えば、スピーカ２９４用）、ＴＣＯインターフェース２６４、システム管理バスインターフェース２６５、ならびに、ＢＩＯＳ２６８とブートコード２９０とを含むことができる、ＳＰＩフラッシュ２６６を含む。Ｉ／Ｏコントローラハブ２５０は、ギガビットイーサネット（登録商標）サポートを含んでもよい。
【００２６】
システムは、電源投入時に、ＳＰＩフラッシュ２６６に記憶されている、ＢＩＯＳ２６８のブートコード２９０を実行し、その後、１つまたは複数のオペレーティングシステムおよびアプリケーションソフトウェア（例えば、メモリ２４０に記憶される）の制御下でデータを処理するように構成されてもよい。オペレーティングシステムは、様々な場所のいずれかに記憶され、例えば、ＢＩＯＳ２６８の命令に従ってアクセスされてもよい。本明細書で説明するように、デバイスは、図２のシステムに示す特徴よりも少ないまたは多い特徴を含んでもよい。
【００２７】
情報処理デバイス回路は、例えば図１または図２に概説するように、概してスマートフォン、タブレット、スマート機器、他のスマートデバイス、パーソナルコンピュータデバイス、および／またはコンテキストデータを取り込んで互いに無線接続を確立することが可能である電子デバイスなどの、デバイス内において使用されてもよい。例えば、図１に概説した回路は、タブレットまたはスマートフォンの実施形態に実装されてもよく、それに対して、図２に概説した回路は、ノート型ＰＣの実施形態に実装されてもよい。
【００２８】
ここで図３を参照すると、実施形態は、制御デバイスとユーザが関心を有するとコンテキストから特定された別のデバイスとの無線接続を確立してもよい。３０１において、実施形態は、ユーザに関連付けられたコンテキストデータを受信してもよい。実施形態では、コンテキストデータは、事実上、別のデバイスとのユーザの相互作用の指示を与え得る任意の種類のデータであってもよい。例えば、コンテキストデータは、ユーザが保持しているデバイス、ユーザが近接しているデバイス、空間内のユーザの位置、ユーザが見ているオブジェクトまたはデバイス、ユーザが別の人としている会話、ユーザが情報端末に対して与えたコマンド、およびその他に関するものであってもよい。
【００２９】
実施形態では、コンテキストデータは、制御デバイス、ターゲットデバイス、別のデバイス、または前述の任意の組み合わせと一体である１つまたは複数のセンサ（例えば、カメラ、光センサ、運動センサ、マイクロフォン、加速度計など）によって取り込まれてもよい。本明細書で使用される場合、制御デバイスは、１つまたは複数の機能を実行するようにターゲットデバイスに命令することが可能である任意のデバイスであってもよい。例えば、スマートフォンおよび無線ヘッドセットの場合、スマートフォンは、無線ヘッドセット（すなわち、ターゲットデバイス）で再生されているものを制御し得る制御デバイスであってもよい。コンテキストデータが、ターゲットデバイスまたは別のデバイスと一体であるセンサによって取り込まれる場合、このデータは、処理のために有線または無線接続を介して制御デバイスに送信されてもよい。実施形態では、センサの１つまたは複数は、常にオンであってもよい（すなわち、コンテキストデータを常に監視している）。代替的に、別の実施形態では、センサの１つまたは複数は、所定の条件が発生したことを特定したことに応答して（例えば、空間内におけるユーザの存在が検出されたとき、可聴ユーザ入力が検出されたとき、制御デバイスが持ち上げられたかまたは制御デバイスを移動させたときなどに）のみ作動してもよい。
【００３０】
３０２では、実施形態は、コンテキストデータがデバイス使用データに関連付けられているかどうかを判定してもよい。本出願の文脈では、デバイス使用データは、ターゲットデバイスを使用しかつ／または動作させようとするユーザの意図が確認された事例を文書化する記憶された（例えば、アクセス可能でローカルなまたはリモートの記憶場所などに記憶された）データに相当し得る。実施形態では、判定は、コンテキストデータをデバイス使用データと比較することによって行われてもよい。実施形態は、コンテキストデータがデバイス使用データとの所定の閾値レベルの類似性を共有していることを特定したことに応答して、コンテキストデータがデバイス使用データと一致していると判定してもよい。実施形態では、デバイス使用データは、プログラマまたは製造業者によってプログラムされるか、ユーザによって提供されるか、またはその両方であってもよい。この判定ステップに関する複数の非限定的で例示的な実施形態が以下に提供される。以下の例示的な判定方法は、受信したコンテキストデータがデバイス使用データと一致しているかどうかを判定するために単独または組み合わせて使用されてもよい。
【００３１】
実施形態では、ユーザの画像は、ユーザがターゲットデバイスと相互作用しようとしているかどうか判定するために、取り込まれて解析されてもよい。本出願の文脈では、「画像」は、静止画像（例えば、写真など）、動画像（例えば、録画されたビデオ、ライブビデオなど）、それらの組み合わせ、およびその他を指すことがある。そのような実施形態では、画像は、ユーザが有し得るデバイスとの相互作用の「種類」を特定するために、まず（例えば、１つまたは複数の従来の画像解析技術などを使用して）解析されてもよい。相互作用の「種類」は、デバイスに対するユーザの近接度、ユーザがデバイスをどのように保持しているか、ユーザがデバイスでまたはデバイスに対して何を行っているか、デバイスがユーザの身体上に位置する場所、ユーザがデバイスと何らかの相互作用しているかどうか、前述の任意の組み合わせ、およびその他を指すことがある。ユーザの相互作用の種類は、その後、ユーザの相互作用が特定のデバイスを使用しようとしているユーザの既知の相互作用と一致するかどうかを判定するために、デバイス使用データと比較されてもよい。例えば、実施形態は、取り込み画像内においてユーザおよび１対の無線ヘッドフォンの存在を特定してもよい。ユーザがヘッドフォンと相互作用しようとしていることを表すデバイス使用データは、ユーザが１対の無線ヘッドフォンを手で持っている画像、ヘッドフォンがユーザの頭部に位置している画像、ヘッドフォンがユーザの耳に位置決めされている画像、およびその他を含んでもよい。取り込み画像内においてユーザと１対の無線ヘッドフォンとの前述の相互作用のいずれかを特定したことに応答して、実施形態は、ユーザがヘッドフォンを使用しようとしているおよび／または１対の無線ヘッドフォンが制御すべきターゲットデバイスである可能性が高いという結論を下してもよい。
【００３２】
実施形態では、ユーザが見ているオブジェクトを特定するために視線追跡法が利用されてもよい。そのような実施形態では、ユーザの１つまたは複数の画像は、ユーザの視線の方向を判定してユーザの視線の方向が特定のターゲットデバイスと一致しているかどうかを判定するために取り込まれて解析されてもよい。実施形態は、実質的に常に（すなわち、ユーザが画像内に現れるたびに）この判定を行うように試みてもよい。代替的に、実施形態は、ユーザが特定のデバイスまたは特定の方向を所定の時間（５秒間、１０秒間、３０秒間など）凝視したことを特定したことに応答してこの判定を行うように試みてもよい。実施形態は、この判定結果をデバイス使用データと比較して、ユーザが無線接続を確立することを望んでいるかどうかを特定してもよい。例えば、記憶されたデバイス使用データは、スマートＴＶを５秒間以上凝視しているユーザがスマートフォンをスマートＴＶに接続することを望んでいることを表してもよい。よって、ユーザが８秒間スマートＴＶを凝視したことを特定したことに応答して、実施形態は、ユーザがスマートＴＶとの無線接続を確立することを望んでいると予測してもよい。
【００３３】
（例えば、オブジェクトが撮像カメラの視野の外側にあるなどの理由から）実施形態がユーザの視線の方向を特定できるが、ユーザの見ているオブジェクトを特定できない状況では、実施形態は、ユーザが見ているオブジェクトを予測するために、ユーザが位置し得る空間の記憶された空間データにアクセスすることができてもよい。記憶された空間データは、空間内に位置する特定のオブジェクトの場所に関する指示を含んでもよい。例えば、実施形態は、（例えば、無線測位データ、ＧＰＳデータ、オブジェクト特定データなどを使用して）ユーザが位置する空間を特定することができてもよい。追加的に、実施形態は、その空間内においてユーザが凝視している方向を特定することができてもよい。よって、実施形態は、ユーザの視線方向と一致するターゲットオブジェクトを特定するために、その空間内におけるオブジェクトの場所を含む記憶された空間データにアクセスしてもよい。
【００３４】
実施形態では、可聴入力デバイス（例えば、マイクロフォンなど）は、ユーザが使用しようとしているターゲットデバイスを特定するために解析され得る可聴ユーザ入力を取り込んでもよい。実施形態では、音声は、１人または複数の人とのユーザの会話から取り込まれてもよい。例えば、ユーザが、別の人に話しかけて「ジョン、スピーカで音楽を再生して」と言うとする。実施形態は、この会話を解析し、（例えば、所定の空間内の接続可能なすべてのデバイスのリストおよびこれらのデバイスが一般的な言い回しで一般的に参照される方法などを含むデバイス使用データにアクセスすることによって）制御デバイスに近接するまたは接続可能なスピーカデバイスを特定することができる。別の実施形態では、実施形態は、複数の同種のデバイスから特定のデバイスを特定することができてもよい。例えば、ユーザが別の人に話しかけて「ジョン、大画面ＴＶでゲームを再生して」と言うとする。実施形態は、この会話を解析し、例えば、各デバイスに関連付けられたタグ記述（例えば、タグは、次元の記述、ブランド名、色などであり得る）にアクセスすることによって、２つ以上のＴＶを区別してもよい。
【００３５】
実施形態では、制御デバイスは、ターゲットデバイスに一体化された１つまたは複数の運動センサ（例えば、加速度計、ジャイロスコープなど）によって取得された運動データを受信してもよい。次いで、実施形態は、ターゲットデバイスを動作させようとするユーザの意図が特定された事例に関連付けられた記憶された運動データを含むデバイス使用データと受信した運動データを比較してもよい。例えば、制御デバイス（例えば、スマートフォンなど）は、移動させたばかりのスピーカから運動データを受信してもよい。次いで、実施形態は、（例えば、スピーカの速度、方向、および／または加速度が、デバイス使用データに記憶された既知の事例のスピーカ動作の速度、方向、および／または加速度と実質的に一致するかどうかを判定することによって）スピーカ移動データの運動特性が動作前に移動させるスピーカのデバイス使用データと一致するかどうかを判定してもよい。
【００３６】
３０２において、コンテキストデータがデバイス使用データと一致していないと判定したことに応答して、実施形態は、３０３において、何も行わなくてもよい。より具体的には、実施形態は、制御デバイスとターゲットデバイスとの接続を確立するための追加のステップを経なくてもよい。逆に、コンテキストデータがデバイス使用データと一致していると判定したこと応答して、実施形態は、３０４において、制御デバイスとターゲットデバイスとの無線接続を確立してもよい。実施形態では、制御デバイスとターゲットデバイスとの間に良好な無線接続が確立されたという通知がユーザに提供されてもよい。通知は、視覚的通知（例えば、制御デバイスのディスプレイ画面上のメッセージなど）、可聴通知（例えば、制御デバイスまたはターゲットデバイスに関連付けられた１つまたは複数のスピーカによって提供される可聴確認など）、触覚通知、それらの組み合わせ、およびその他のうちの１つまたは複数であってもよい。実施形態では、無線接続の確立は、ペアリング段階または接続段階のいずれか一方に適用可能であってもよい。
【００３７】
実施形態では、無線接続の確立後に、制御デバイス、ターゲットデバイス、またはその両方によって所定の機能が実行されてもよい。どの所定の機能を実行すべきかの判定は、１つまたは複数の因子に基づいてもよい。例えば、実施形態は、接続が確立されたときに単一の特定の機能を常に実行するようにプログラムされてもよい。例えば、実施形態では、無線ヘッドセットとの無線接続を確立したことに応答して、制御デバイスは、所定のアプリケーション（例えば、無線ヘッドセット制御アプリケーションなど）を開いてもよい。異なる例において、様々な種類のコンテキストデータ（例えば、時刻、場所、周囲音レベルなど）は、どの所定の機能が実行されるかに影響を及ぼし得る。例えば、制御デバイスが平日の午前７時にスマートＴＶとの無線接続を確立したことに応答して、スマートＴＶは、チャンネルを特定の朝のニュース番組に自動的に変更してもよい。別の例として、空間の周囲音レベルが特定されてもよい。制御デバイスが無線ヘッドセットとの無線接続を確立したことに応答して、無線ヘッドセットでメディアが再生される音量は、空間内の周囲音を考慮に入れて動的に調整されてもよい（例えば、周囲音が大きいなどの場合に音量を上げる）。
【００３８】
実施形態では、制御デバイスとターゲットデバイスとの間に確立された無線接続は、ユーザが使用しようとしている別のターゲットデバイスを特定した後に切断されてもよい。例えば、スマートフォンとスマートＴＶとの間に無線接続が確立されている場合、その無線接続は、ユーザが１対の無線ヘッドフォンを装着したというコンテキストデータを受信したことに応答して切断されてもよい。
【００３９】
したがって、本明細書で説明する種々の実施形態は、従来の無線接続確立技術に対する技術の改善を表す。本明細書で説明する技術を使用して、実施形態は、デバイスとのユーザの相互作用に関連付けられたコンテキストデータを受信してもよい。次いで、実施形態は、コンテキストデータがデバイス使用データに関連付けられているかどうかを判定してもよい。肯定判定に至ったことに応答して、次いで、実施形態は、制御デバイスとターゲットデバイスとの無線接続を確立してもよい。そのような方法は、ユーザが使用しようと／動作させようとしているターゲットデバイスとの無線接続が動的に確立されることを可能にし得る。
【００４０】
当業者によって認識されるように、種々の態様は、システム、方法、またはデバイスプログラム製品として具体化されてもよい。よって、態様は、完全にハードウェアの実施形態または概して本明細書ではすべて「回路」、「モジュール」もしくは「システム」と称され得るソフトウェアを含む実施形態の形をとってもよい。さらに、態様は、デバイス可読媒体によって具体化されたデバイス可読プログラムコードを有する１つまたは複数のデバイス可読媒体（複数可）内に具体化されたデバイスプログラム製品の形をとってもよい。
【００４１】
本明細書で説明する種々の機能が、プロセッサによって実行される非信号記憶デバイスなどのデバイス可読記憶媒体に記憶された命令を使用して実施され得ることが留意されるべきである。記憶デバイスは、例えば、システム、装置、またはデバイス（例えば、電子、磁気、光学、電磁、赤外線、もしくは半導体システム、装置、もしくはデバイス）あるいは前述の任意の好適な組み合わせであってもよい。記憶デバイス／媒体のより具体的な例としては、以下のもの、すなわち、携帯用コンピュータディスケット、ハードディスク、ランダムアクセスメモリ（Random  Access  Memory：ＲＡＭ）、読み取り専用メモリ（Read-Only  Memory：ＲＯＭ）、消去可能プログラマブル読み取り専用メモリ（Erasable  Programmable  Read-Only  Memory：ＥＰＲＯＭもしくはフラッシュメモリ）、光ファイバ、携帯用コンパクトディスク読み取り専用メモリ（Compact  Disc  Read-Only  Memory：ＣＤ−ＲＯＭ）、光記憶デバイス、磁気記憶デバイス、または前述の任意の好適な組み合わせが挙げられる。本文書の文脈では、記憶デバイスは信号ではなく、また「非一時的」とは、信号媒体を除くすべての媒体を含む。
【００４２】
記憶媒体上に具体化されたプログラムコードは、限定されるものではないが、無線、有線、光ファイバケーブル、ＲＦなど、または前述の任意の好適な組み合わせを含む、任意の適切な媒体を使用して送信されてもよい。
【００４３】
動作を行うためのプログラムコードは、１つまたは複数のプログラミング言語の任意の組み合わせで記述されてもよい。プログラムコードは、完全に単一のデバイス上で、部分的に単一のデバイス上で、スタンドアロン型ソフトウェアパッケージとして、部分的に単一のデバイス上で、部分的に別のデバイス上で、または完全に他のデバイス上で実行されてもよい。場合により、デバイスが、ローカルエリアネットワーク（Local  Area  Network：ＬＡＮ）または広域ネットワーク（Wide  Area  Network：ＷＡＮ）を含む、任意の種類の接続またはネットワークを通じて接続されてもよく、あるいは、接続が、他のデバイスを通じて（例えば、インターネットサービスプロバイダを利用したインターネットを通じて）、無線接続、例えば近距離無線通信を通じて、またはＵＳＢ接続などでの、有線接続を通じて行われてもよい。
【００４４】
例示的な実施形態は、種々の例示的な実施形態による例示的な方法、デバイスおよびプログラム製品を図示する、図を参照しながら本明細書において説明される。アクションおよび機能がプログラム命令によって少なくとも部分的に実施され得ることが理解されるであろう。これらのプログラム命令は、デバイスのプロセッサ、専用の情報処理デバイス、または機械を生産するための他のプログラム可能なデータ処理デバイスに提供されてもよく、その結果、デバイスのプロセッサによって実行される、命令が、指定された機能／動作を実施する。
【００４５】
図では特定のブロックが使用され、ブロックの特定の順序が図示されているが、これらが非限定的な例であることは注目に値する。図示の明示的な例は、説明の目的でのみ使用されており、限定的なものと解釈されるべきではないので、ある特定の文脈では、２つ以上のブロックが組み合わされてもよく、ブロックが２つ以上のブロックに分割されてもよく、またはある特定のブロックが、必要に応じて、並べ替えられるかまたは再編成されてもよい。
【００４６】
本明細書で使用される場合、単数形「１つの（ａ）」および「１つの（ａｎ）」は、別段の明確な指示がない限り、複数形「１つまたは複数の」を含むものとして解釈されてもよい。
【００４７】
本開示は、例示および説明の目的で提示されているが、網羅的または限定的であることを意図するものではない。多くの修正および変形が当業者には明らかであろう。例示的な実施形態は、原理および実際の用途を解説するため、ならびに、企図される特定の使用に適合するような種々の変更を伴う種々の実施形態に関する開示内容を当業者が理解できるようにするために、選択および説明されている。
【００４８】
したがって、図示の例示的な実施形態は、添付の図を参照しながら本明細書において説明されているが、本説明が限定されるものではないことと、本開示の範囲または趣旨から逸脱することなく、種々の他の変更および修正が当業者によって影響され得ることが理解されるべきである。
【符号の説明】
【００４９】
１００  回路システム
１１０  チップ（ソフトウェア＋プロセッサ）
１２０  追加のデバイス
１３０  電力管理回路
１４０  電池
１５０  ＷＷＡＮ送受信器
１６０  ＷＬＡＮ送受信器
１７０  タッチ画面／コントローラ
１８０  フラッシュメモリ
１９０  ＳＤＲＡＭ
２１０  チップセット
２２０  コア／メモリ制御
２２２  プロセッサ
２２６  メモリコントローラハブ
２３２  ＬＶＤＳインターフェース
２３４  ＰＣＩエクスプレスインターフェース
２３６  別個のグラフィック
２４０  メモリ
２５０  Ｉ／Ｏコントローラハブ
２５１  ＳＡＴＡインターフェース
２５２  ＰＣＩ−Ｅインターフェース
２５３  ＵＳＢインターフェース
２５４  ネットワークインターフェース
２５５  ＧＰＩＯインターフェース
２６１  電力管理インターフェース
２６２  クロックジェネレータインターフェース
２６３  音声インターフェース
２６４  ＴＣＯインターフェース
２６５  システム管理バスインターフェース
２６６  ＳＰＩフラッシュ
２６８  ＢＩＯＳ
２７０  ＬＰＣインターフェース
２７４  ファームウェアハブ
２７５  ＢＩＯＳサポート
２７６  メモリ
２７７  ＲＯＭ
２７８  フラッシュ
２７９  ＮＶＲＡＭ
２９０  ブートコード
２９４  スピーカ
【図１】
2020088868.tif 000003
【図２】
2020088868.tif 000004
【図３】
2020088868.tif 000005